(57)【要約】【課題】  エレベータの利用者が利用し易いように押しボタンの操作荷重を変更可能にしたエレベータ用押しボタンを得る。【解決手段】  キートップ、アクチュエータ、スプリング及び配線板等を積層して構成されるものにおいて、利用者の押圧操作により反応するキートップ９０と、キートップの反応により下方向に移動し、可動接点５３が設けられたアクチュエータと、アクチュエータを上方向に付勢するスプリング８４と、アクチュエータの可動接点と接離可能な固定接点３３が設けられ、両接点が接触することにより回路を閉じる配線板１１と、配線板に係合するとともにスプリングに接触し、その回転ねじ込み量により押しボタンの操作荷重を変更可能にする調整ねじ２８とを備える。【選択図】    図１
2006151640.tif 000002
【特許請求の範囲】
【請求項１】
キートップ、アクチュエータ、スプリング及び配線板等を積層して構成されるエレベータ用押しボタンにおいて、
利用者の押圧操作により反応するキートップと、
前記キートップの反応により下方向に移動し、可動接点が設けられたアクチュエータと、
前記アクチュエータを上方向に付勢するスプリングと、
前記アクチュエータの可動接点と接離可能な固定接点が設けられ、両接点が接触することにより回路を閉じる配線板と、
前記配線板に係合するとともに前記スプリングに接触し、その回転ねじ込み量により押しボタンの操作荷重を変更可能にする調整ねじと、
を備えたことを特徴とするエレベータ用押しボタン。
【請求項２】
配線板を取り付ける取付板を更に備え、回転ねじ込み量により押しボタンの操作荷重を変更可能にする調整ねじは、前記取付板に係合されることを特徴とする請求項１記載のエレベータ用押しボタン。
【請求項３】
スプリング、調整ねじ、及び調整ねじの係合部は、左右対称的に一対ずつ設けられたことを特徴とする請求項１又は請求項２記載のエレベータ用押しボタン。
【発明の詳細な説明】
【技術分野】
【０００１】
この発明は、エレベータの乗場又はかご操作盤に設けられるエレベータ用押しボタンに関するものである。
【背景技術】
【０００２】
エレベータ用押しボタンにおいては、押しボタンの操作荷重は操作する人によって最適な操作荷重が異なるが、従来のエレベータ用押しボタンでは操作荷重の大半はスプリングで決定されており、操作荷重の変更は困難であった（例えば、特許文献１参照）。
また、押圧部材としてのキートップと、ガイドとしてのブッシュと、押圧部材を上方へ付勢する付勢部材としてのばねと、押圧スイッチとしてのディスクスイッチとを設け、キートップの下面とディスクスイッチの上面との間隔に寸法誤差が生じた時に、この寸法誤差を吸収するゴムを収容することにより、ゴムの変形を利用して上記寸法誤差を吸収するものが知られている（例えば、特許文献２参照）。
【０００３】
【特許文献１】実公平６−３７５４５号公報
【特許文献２】特開平１１−３１４８６１号公報
【発明の開示】
【発明が解決しようとする課題】
【０００４】
エレベータ用押しボタンは、例えば、身体障害者で指の押す力のない人にとっては操作荷重を軽くする必要がある。また、視覚障害者ではボタンを手探りで捜すために操作荷重を重くしないと、不要時にオンしてしまう恐れがある。しかし、従来のエレベータ用押しボタンでは、操作荷重の変更が困難であったので、操作する人によって最適な操作荷重を設定することができなかった。更に、国によっては、操作荷重の法規制を行っている所もあるが、それへの対応もできなかった。
また、特許文献２記載のものでは、製作時の寸法誤差には対応できるが、操作する人によって最適な操作荷重を設定することまでは対応ができなかった。
【０００５】
この発明は、上述のような課題を解決するためになされたもので、その目的は、エレベータの利用者が利用し易いように押しボタンの操作荷重を変更可能にしたエレベータ用押しボタンを提供するものである。
【課題を解決するための手段】
【０００６】
この発明に係るエレベータ用押しボタンは、キートップ、アクチュエータ、スプリング及び配線板等を積層して構成されるものにおいて、利用者の押圧操作により反応するキートップと、キートップの反応により下方向に移動し、可動接点が設けられたアクチュエータと、アクチュエータを上方向に付勢するスプリングと、アクチュエータの可動接点と接離可能な固定接点が設けられ、両接点が接触することにより回路を閉じる配線板と、配線板に係合するとともにスプリングに接触し、その回転ねじ込み量により押しボタンの操作荷重を変更可能にする調整ねじとを備えたものである。
【０００７】
また、配線板を取り付ける取付板を更に備え、回転ねじ込み量により押しボタンの操作荷重を変更可能にする調整ねじは、取付板に係合されるものである。
【発明の効果】
【０００８】
この発明は、押しボタンの操作荷重を変更するための変更部品が不要であり、組立て間違いの低減、種類の削減が可能となる。また、押しボタンの操作荷重の変更はねじを回転させるだけなので、エレベータ設置後でも変更が可能である。
【発明を実施するための最良の形態】
【０００９】
実施の形態１．
図１はこの発明の実施の形態１におけるエレベータ用押しボタンを示す分解斜視図、図２はこの発明の実施の形態１におけるエレベータ用押しボタンを示す断面図である。特許文献１（実公平６−３７５４５号公報）と同一部分は同一符号を付してある。
図において、１１はプリント配線板、１２はねじ穴、２０は発光素子としてのＬＥＤチップ、２２はＬＥＤ用の窓穴、２３はねじ穴、２４は粘着シート、２５はねじ、３０は配線板の一部をなす下部ＦＰＣ、３１はＬＥＤ用の窓穴、３２はねじ穴、３３は固定接点、３４は回路パターン、４０はスペーサ、４１はＬＥＤ用の窓穴、４２は貫通穴、４３はねじ穴、５０は上部ＦＰＣ、５１はＬＥＤ用の窓穴、５２はねじ穴、５３は固定接点３３と接離可能な可動接点で、アクチュエータの一部となる。５４は回路パターン、６０はフレーム、６１はＬＥＤ用の窓穴、６２はねじ穴、６３は窓枠、６４は貫通穴、６５はスプリング係合溝、６６は係合穴、７０はアクチュエータとしての作動板、７１はＬＥＤ用の窓穴、７２は係合子、７３は係合溝、７４はスプリング係合溝、７５は突部、７７は係合舌片、７８は係合溝、８０は円板状の文字プレート、８１は位置合わせ用の切欠き部、８３はアクチュエータとしての押圧子で、可動接点５３を固定接点３３に接離させる。８４は作動板７０を上方向に付勢してフレーム６０との間隔を一定に保持する左右対称的に設けられた一対のスプリングで、キートップ９０を押圧することによって、スプリング８４で上方向に付勢されたアクチュエータを下方向に移動する。８５は円柱体、８６はコーン状のクッション部、８７はリング体、８８は通気溝、９０はキートップ、９１は枠部、９２は凹レンズ形状の透明部、９３は係合子である。以上が特許文献１と同一の部分である。
この発明の実施の形態１においては、左右対称的に設けられた一対のスプリング８４の下方に位置するフレーム６０に一対の貫通穴６７を左右対称的に設け、更に、上部ＦＰＣ５０、スペーサ４０、下部ＦＰＣ３０及び粘着シート２４にもスプリング８４の下方の上記貫通穴６７と同一位置に貫通穴５７、４７、３７、２７をそれぞれ左右対称的に設けている。そして、プリント配線板１１にもスプリング８４の下方の上記貫通穴６７、５７、４７、３７、２７と同一位置にねじ切り穴１７を左右対称的に設けている。２８はこのねじ切り穴１７に挿入された左右一対の調整ねじで、押しボタンの操作荷重を変更可能にするものである。
例えば、指先に力のない身体障害者の場合に押しボタンの操作荷重を軽くする必要があるが、上記左右一対の調整ねじ２８を左方向（反時計方向）に回転させ、スプリング８４の全長を長くする。これにより、スプリング８４の荷重が軽くなり、押しボタンの操作荷重が軽くなる。また、視覚障害者の場合は手探りで押しボタンを捜すため、操作荷重が軽いと誤って操作してしまう恐れがあり、操作荷重を重くする必要があるが、上記調整ねじ２８を右方向（時計方向）に回転させ、スプリング８４の全長を短くすると、スプリング８４の荷重が重くなり、押しボタンの操作荷重が重くなる。
【００１０】
この実施の形態１によれば、押しボタンの操作荷重を変更するための変更部品が不要であり、組立て間違いの低減、種類の削減が可能となる。また、利用する分野では、かご出入り口横の袖壁に取り付けたかご操作盤は一般的に視覚障害者が利用する操作盤なので、操作荷重を重く設定できる。また側面壁に設けられた操作盤は主に身体障害者用なので、指先に力がない人用に操作荷重を軽く設定できる。また、押しボタンの操作荷重の変更はねじを回転させるだけなので、エレベータ設置後でも変更が可能である。
【００１１】
実施の形態２．
図３はこの発明の実施の形態２におけるエレベータ用押しボタンを示す分解斜視図、図４はこの発明の実施の形態２におけるエレベータ用押しボタンを示す断面図である。実施の形態１と同一部分は同一符号を付してある。
上記実施の形態１では、プリント配線板１１に一対のねじ切り穴１７を左右対称的に設けたが、この実施の形態２は、図３、図４に示すように、プリント配線板１１の下面に取付板１５を更に設け、この取付板１５に一対のねじ切り穴１８を左右対称的に設け、この取付板１５に設けたねじ切り穴１８に左右一対の調整ねじ２８を挿入している。なお、プリント配線板１１はねじ切り穴でなく貫通穴１９に変更してある。
この実施の形態２の押しボタンの操作荷重の調整・変更は、実施の形態１とほぼ同様であり、その効果もほぼ同様であるので、説明を省略する。
【図面の簡単な説明】
【００１２】
【図１】この発明の実施の形態１におけるエレベータ用押しボタンを示す分解斜視図である。
【図２】この発明の実施の形態１におけるエレベータ用押しボタンを示す断面図である。
【図３】この発明の実施の形態２におけるエレベータ用押しボタンを示す分解斜視図である。
【図４】この発明の実施の形態２におけるエレベータ用押しボタンを示す断面図である。
【符号の説明】
【００１３】
１１  プリント配線板
２４  粘着シート
２５  ねじ
３０  下部ＦＰＣ
４０  スペーサ
５０  上部ＦＰＣ
６０  フレーム
７０  作動板（アクチュエータ）
８０  文字プレート
８３  押圧子（アクチュエータ）
８４  スプリング
９０  キートップ
１５  取付板
１７、１８  ねじ切り穴
１９、２７、３７、４７、５７、６７  貫通穴
２８  調整ねじ
【図１】
2006151640.tif 000003
【図２】
2006151640.tif 000004
【図３】
2006151640.tif 000005
【図４】
2006151640.tif 000006